(57)【特許請求の範囲】
【請求項１】
画像を表示する複数の画像表示装置にて予め定められた画像を表示させたときの色値を取得する色値取得部と、
前記色値取得部により取得された色値から、前記画像表示装置の予め定められた特性値を導出する特性値導出部と、
前記特性値導出部により導出された前記特性値の中から、入力画像信号を補正することで複数の前記画像表示装置の画像を色調整するための共通の補正項目である第１の入力画像信号用補正項目と、当該第１の入力画像信号用補正項目以外の特性値であり、入力画像信号を補正することで複数の前記画像表示装置毎の画像を色調整するための共通の補正項目である第２の入力画像信号用補正項目と、を選択する補正項目選択部と、
前記補正項目選択部により選択された前記第１の入力画像信号用補正項目および前記第２の入力画像信号用補正項目について、複数の前記画像表示装置にて画像を色調整するときの共通目標となる特性値である目標特性値を設定する目標特性値設定部と、
前記目標特性値設定部により設定された前記目標特性値に前記特性値を補正するための補正係数を導出する補正係数導出部と、
前記補正係数導出部により導出された補正係数を基に、複数の前記画像表示装置の画像の色調整を行なうために入力画像信号を変換する変換関係を当該画像表示装置毎に作成する変換関係作成部と、
を備えることを特徴とする色調整装置。
【請求項２】
前記入力画像信号を前記第１の入力画像信号用補正項目で補正したときの色域と当該入力画像信号を前記第２の入力画像信号用補正項目で補正したときの色域とを整合させる色域整合部をさらに備えることを特徴とする請求項１に記載の色調整装置。
【請求項３】
前記目標特性値設定部は、前記画像表示装置が使用される頻度を反映した重み付けをして前記目標特性値を設定することを特徴とする請求項１または２に記載の色調整装置。
【請求項４】
前記補正項目選択部は、前記第１の入力画像信号用補正項目として、前記画像表示装置にて黒色画像を表示させたときの輝度、当該画像表示装置にて白色画像を表示させたときの色温度、当該画像表示装置の色域形状、前記画像表示装置にて白色画像を表示させたときの輝度、当該画像表示装置にて黒色画像を表示させたときの色相および彩度の中から少なくとも１つを選択することを特徴とする請求項１乃至３の何れか１項に記載の色調整装置。
【請求項５】
前記色値取得部は、予め定められた画像を表示させたときの色値として、前記画像表示装置にて白色画像を表示したときの色値、当該画像表示装置にて黒色画像を表示したときの色値および当該画像表示装置にて主要色を表示したときの当該主要色の色値を取得することを特徴とする請求項１乃至４の何れか１項に記載の色調整装置。
【請求項６】
画像を表示する複数の画像表示装置と、
複数の前記画像表示装置にて予め定められた画像を表示させたときの色値を取得する色値取得部と、
前記色値取得部により取得された色値から、前記画像表示装置の予め定められた特性値を導出する特性値導出部と、
前記特性値導出部により導出された前記特性値の中から、入力画像信号を補正することで複数の前記画像表示装置の画像を色調整するための共通の補正項目である第１の入力画像信号用補正項目と、当該第１の入力画像信号用補正項目以外の特性値であり、入力画像信号を補正することで複数の前記画像表示装置毎の画像を色調整するための共通の補正項目である第２の入力画像信号用補正項目と、を選択する補正項目選択部と、
前記補正項目選択部により選択された前記第１の入力画像信号用補正項目および前記第２の入力画像信号用補正項目について、複数の前記画像表示装置にて画像を色調整するときの共通目標となる特性値である目標特性値を設定する目標特性値設定部と、
前記目標特性値設定部により設定された前記目標特性値に前記特性値を補正するための補正係数を導出する補正係数導出部と、
前記補正係数導出部により導出された補正係数を基に、複数の前記画像表示装置の画像の色調整を行なうために入力画像信号を変換する変換関係を当該画像表示装置毎に作成する変換関係作成部と、
を備えることを特徴とする色調整システム。
【請求項７】
コンピュータに、
画像を表示する複数の画像表示装置にて予め定められた画像を表示させたときの色値を取得する機能と、
取得された色値から、前記画像表示装置の予め定められた特性値を導出する機能と、
導出された前記特性値の中から、入力画像信号を補正することで複数の前記画像表示装置の画像を色調整するための共通の補正項目である第１の入力画像信号用補正項目と、当該第１の入力画像信号用補正項目以外の特性値であり、入力画像信号を補正することで複数の前記画像表示装置毎の画像を色調整するための共通の補正項目である第２の入力画像信号用補正項目と、を選択する機能と、
選択された前記第１の入力画像信号用補正項目および前記第２の入力画像信号用補正項目について、複数の前記画像表示装置にて画像を色調整するときの共通目標となる特性値である目標特性値を設定する機能と、
設定された前記目標特性値に前記特性値を補正するための補正係数を導出する機能と、
導出された補正係数を基に、複数の前記画像表示装置の画像の色調整を行なうために入力画像信号を変換する変換関係を当該画像表示装置毎に作成する機能と、
を実現させるプログラム。
【請求項８】
前記補正係数を導出する機能は、前記第１の入力画像信号用補正項目についての前記補正係数である第１の補正係数と、前記第２の入力画像信号用補正項目についての当該補正係数である第２の補正係数とを導出し、
前記変換関係を前記画像表示装置毎に作成する機能は、前記第１の補正係数を基にした前記変換関係である第１の変換関係と、前記第２の補正係数を基にした当該変換関係である第２の変換関係とを作成することを特徴とする請求項７に記載のプログラム。
【発明の詳細な説明】
【技術分野】
【０００１】
本発明は、色調整装置、色調整システム、プログラムに関する。
【背景技術】
【０００２】
特許文献１には、入力信号の色再現域を、より狭いデバイスの色再現域にマッピングする場合、入力信号およびデバイスの色再現域の共通領域を抽出し、入力信号の色再現域をデバイスの色再現域にマッピングする際に、入力信号の色再現域から共通領域を除いた非共通領域を、デバイスの色再現域から共通領域を除いた領域へマッピングするカラー処理装置が開示されている。
また特許文献２には、第１および第２の画像出力手段で表示される黒色の色空間上の値を差し引いた色空間から色変換パラメータを予め求め、第１の画像出力手段に出力される色空間上の画像データから第１の画像出力手段で表される黒色の色空間上の値を減算し、色変換パラメータを用いて色変換を行い、第２の画像出力手段で表示される黒色の色空間上の値を加算することによって、画像データの色変換を行う色補正処理方法が開示されている。
さらに特許文献３には、各出力デバイスの色再現領域全体まで使って入力デバイスの色データを出力デバイスの色データにマッピングするように工夫したので、マッピングされた色の再現領域が小さくなることがない画像処理方法が開示されている。
【先行技術文献】
【特許文献】
【０００３】
【特許文献１】特開２００３−１５３０２０号公報
【特許文献２】特開２００１−３６７５８号公報
【特許文献３】特開２０１１−１５５４９６号公報
【発明の概要】
【発明が解決しようとする課題】
【０００４】
ここで、複数の画像表示装置に画像を表示させたときに、それぞれの色表現がより近いことが望ましい。
【課題を解決するための手段】
【０００５】
請求項１に記載の発明は、画像を表示する複数の画像表示装置にて予め定められた画像を表示させたときの色値を取得する色値取得部と、前記色値取得部により取得された色値から、前記画像表示装置の予め定められた特性値を導出する特性値導出部と、前記特性値導出部により導出された前記特性値の中から、入力画像信号を補正することで複数の前記画像表示装置の画像を色調整するための共通の補正項目である第１の入力画像信号用補正項目と、当該第１の入力画像信号用補正項目以外の特性値であり、入力画像信号を補正することで複数の前記画像表示装置毎の画像を色調整するための共通の補正項目である第２の入力画像信号用補正項目と、を選択する補正項目選択部と、前記補正項目選択部により選択された前記第１の入力画像信号用補正項目および前記第２の入力画像信号用補正項目について、複数の前記画像表示装置にて画像を色調整するときの共通目標となる特性値である目標特性値を設定する目標特性値設定部と、前記目標特性値設定部により設定された前記目標特性値に前記特性値を補正するための補正係数を導出する補正係数導出部と、前記補正係数導出部により導出された補正係数を基に、複数の前記画像表示装置の画像の色調整を行なうために入力画像信号を変換する変換関係を当該画像表示装置毎に作成する変換関係作成部と、を備えることを特徴とする色調整装置である。
【０００６】
請求項２に記載の発明は、前記入力画像信号を前記第１の入力画像信号用補正項目で補正したときの色域と当該入力画像信号を前記第２の入力画像信号用補正項目で補正したときの色域とを整合させる色域整合部をさらに備えることを特徴とする請求項１に記載の色調整装置である。
請求項３に記載の発明は、前記目標特性値設定部は、前記画像表示装置が使用される頻度を反映した重み付けをして前記目標特性値を設定することを特徴とする請求項１または２に記載の色調整装置である。
請求項４に記載の発明は、前記補正項目選択部は、前記第１の入力画像信号用補正項目として、前記画像表示装置にて黒色画像を表示させたときの輝度、当該画像表示装置にて白色画像を表示させたときの色温度、当該画像表示装置の色域形状、前記画像表示装置にて白色画像を表示させたときの輝度、当該画像表示装置にて黒色画像を表示させたときの色相および彩度の中から少なくとも１つを選択することを特徴とする請求項１乃至３の何れか１項に記載の色調整装置である。
請求項５に記載の発明は、前記色値取得部は、予め定められた画像を表示させたときの色値として、前記画像表示装置にて白色画像を表示したときの色値、当該画像表示装置にて黒色画像を表示したときの色値および当該画像表示装置にて主要色を表示したときの当該主要色の色値を取得することを特徴とする請求項１乃至４の何れか１項に記載の色調整装置である。
【０００７】
請求項６に記載の発明は、画像を表示する複数の画像表示装置と、複数の前記画像表示装置にて予め定められた画像を表示させたときの色値を取得する色値取得部と、前記色値取得部により取得された色値から、前記画像表示装置の予め定められた特性値を導出する特性値導出部と、前記特性値導出部により導出された前記特性値の中から、入力画像信号を補正することで複数の前記画像表示装置の画像を色調整するための共通の補正項目である第１の入力画像信号用補正項目と、当該第１の入力画像信号用補正項目以外の特性値であり、入力画像信号を補正することで複数の前記画像表示装置毎の画像を色調整するための共通の補正項目である第２の入力画像信号用補正項目と、を選択する補正項目選択部と、前記補正項目選択部により選択された前記第１の入力画像信号用補正項目および前記第２の入力画像信号用補正項目について、複数の前記画像表示装置にて画像を色調整するときの共通目標となる特性値である目標特性値を設定する目標特性値設定部と、前記目標特性値設定部により設定された前記目標特性値に前記特性値を補正するための補正係数を導出する補正係数導出部と、前記補正係数導出部により導出された補正係数を基に、複数の前記画像表示装置の画像の色調整を行なうために入力画像信号を変換する変換関係を当該画像表示装置毎に作成する変換関係作成部と、を備えることを特徴とする色調整システムである。
【０００８】
請求項７に記載の発明は、コンピュータに、画像を表示する複数の画像表示装置にて予め定められた画像を表示させたときの色値を取得する機能と、取得された色値から、前記画像表示装置の予め定められた特性値を導出する機能と、導出された前記特性値の中から、入力画像信号を補正することで複数の前記画像表示装置の画像を色調整するための共通の補正項目である第１の入力画像信号用補正項目と、当該第１の入力画像信号用補正項目以外の特性値であり、入力画像信号を補正することで複数の前記画像表示装置毎の画像を色調整するための共通の補正項目である第２の入力画像信号用補正項目と、を選択する機能と、選択された前記第１の入力画像信号用補正項目および前記第２の入力画像信号用補正項目について、複数の前記画像表示装置にて画像を色調整するときの共通目標となる特性値である目標特性値を設定する機能と、設定された前記目標特性値に前記特性値を補正するための補正係数を導出する機能と、導出された補正係数を基に、複数の前記画像表示装置の画像の色調整を行なうために入力画像信号を変換する変換関係を当該画像表示装置毎に作成する機能と、を実現させるプログラムである。
請求項８に記載の発明は、前記補正係数を導出する機能は、前記第１の入力画像信号用補正項目についての前記補正係数である第１の補正係数と、前記第２の入力画像信号用補正項目についての当該補正係数である第２の補正係数とを導出し、前記変換関係を前記画像表示装置毎に作成する機能は、前記第１の補正係数を基にした前記変換関係である第１の変換関係と、前記第２の補正係数を基にした当該変換関係である第２の変換関係とを作成することを特徴とする請求項７に記載のプログラムである。
【発明の効果】
【０００９】
請求項１の発明によれば、本構成を有していない場合に比較して、複数の画像表示装置に画像を表示させたときに、それぞれの色表現をより近くすることができる色調整装置が提供できる。
請求項２の発明によれば、本構成を有していない場合に比較して、複数の画像表示装置に画像を表示させたときに、それぞれの色表現をさらに近くすることができる色調整装置が提供できる。
請求項３の発明によれば、本構成を有していない場合に比較して、使用する頻度が高い画像表示装置により近い色表現で画像を調整することができる。
請求項４の発明によれば、本構成を有していない場合に比較して、色表現に影響を与えやすい特性値を使用して複数の画像表示装置の画像を調整することができる。
請求項５の発明によれば、本構成を有していない場合に比較して、予め定められた特性値が導出しやすくなる。
請求項６の発明によれば、本構成を有していない場合に比較して、複数の画像表示装置に画像を表示させたときに、それぞれの色表現をより近くすることができる色調整システムが提供できる。
請求項７の発明によれば、本構成を有していない場合に比較して、複数の画像表示装置に画像を表示させたときに、それぞれの色表現をより近くすることができる機能をコンピュータにより実現できる。
請求項８の発明によれば、本構成を有していない場合に比較して、各画像表示装置について共通に作成される変換関係である第１の変換関係と、各画像表示装置毎に作成される変換関係である第２の変換関係を用いて色調整を行なうことができる。
【図面の簡単な説明】
【００１０】
【図１】本実施の形態が適用される色調整システムの全体構成例を示したものである。
【図２】端末装置のハードウェア構成を示した図である。
【図３】本実施の形態の色調整装置についての機能構成例を説明した図である。
【図４】色変換プロファイル作成部の機能構成例を説明した図である。
【図５】色変換プロファイル作成部の動作例について説明したフローチャートである。
【図６】第１の入力画像信号用補正項目および第２の入力画像信号用補正項目として選択されうる特性値を示した図である。
【図７】補正項目選択部により黒輝度が補正項目として選択された場合に、第１の補正係数作成部の目標特性値設定部が、この黒輝度について第１の目標特性値を設定する手順を説明した図である。
【図８】補正項目選択部により色温度が補正項目として選択された場合に、第１の補正係数作成部の目標特性値設定部が、この色温度について第１の目標特性値を設定する手順を説明した図である。
【図９】モニタで設定できる色温度の上限値と下限値の例を示した図である。
【図１０】補正項目選択部により色域形状が補正項目として選択された場合に、第１の補正係数作成部の目標特性値設定部が、色域形状について第１の目標特性値を設定する手順を説明した図である。
【図１１】補正項目選択部により黒の色味が補正項目として選択された場合に、第１の補正係数作成部の目標特性値設定部が、この黒の色味について第１の目標特性値を設定する手順を説明した図である。
【図１２】本実施の形態の色調整装置についての機能構成例の他の場合を説明した図である。
【発明を実施するための形態】
【００１１】
以下、添付図面を参照して、本発明の実施の形態について詳細に説明する。
図１は、本実施の形態が適用される色調整システム１の全体構成例を示したものである。
ここで図示した色調整システム１は、端末装置１０ａ、１０ｂ、１０ｃ、１０ｄと、端末装置１０ａ、１０ｂ、１０ｃ、１０ｄに接続されるネットワーク３０とにより構成されている。なお以下の説明において、端末装置１０ａ、１０ｂ、１０ｃ、１０ｄをそれぞれ区別する必要がないときは、これを端末装置１０と称することにする。また、図には、４つの端末装置１０しか示していないが、５つ以上の端末装置１０を設けてもよい。
【００１２】
端末装置１０は、詳しくは後述するが、予め定められた画像を表示するモニタを有するコンピュータ装置である。ここで、端末装置１０としては、ＰＣ（Personal Computer）を例示することができる。
【００１３】
ネットワーク３０は、端末装置１０同士の情報通信に用いられる通信手段であり、例えば、ＬＡＮ（Local Area Network）である。なお本実施の形態では、ネットワーク３０は、必ずしも必要ではなく、端末装置１０ａ、１０ｂ、１０ｃ、１０ｄのそれぞれがいわゆるスタンドアローンであってもよい。
【００１４】
次に、端末装置１０のハードウェア構成について説明する。
図２は、端末装置１０のハードウェア構成を示した図である。
図示するように、端末装置１０は、演算手段であるＣＰＵ（Central Processing Unit）１１と、記憶手段であるメインメモリ１２、およびＨＤＤ（Hard Disk Drive）１３とを備える。ここで、ＣＰＵ１１は、ＯＳ（Operating System）やアプリケーション等の各種ソフトウェアを実行する。また、メインメモリ１２は、各種ソフトウェアやその実行に用いるデータ等を記憶する記憶領域であり、ＨＤＤ１３は、各種ソフトウェアに対する入力データや各種ソフトウェアからの出力データ等を記憶する記憶領域である。
【００１５】
さらに、端末装置１０は、外部との通信を行うための通信インターフェース（以下、「通信Ｉ／Ｆ」と表記する）１４と、ビデオメモリやディスプレイ等からなり、画像を表示する画像表示装置の一例であるモニタ１５と、キーボードやマウス等の入力デバイス１６とを備える。なおここでモニタ１５は、ＰＣ用の液晶モニタやブラウン管モニタなどに限られるものではなく、プロジェクタやテレビ用の液晶ディスプレイ、プラズマディスプレイなども含む。またモニタ１５は、１台の端末装置１０について１つであるとは限らず複数備えられていてもよい。
【００１６】
ここで、モニタ１５に表示される画像は、端末装置１０ａの各モニタ１５毎に全て同様の色表現で表示されることが望ましい。一般的には、例えば、入力画像信号をｓＲＧＢの色空間による色信号とし、そしてモニタ１５においてｓＲＧＢの色空間に対応したものを使用すれば、各モニタ１５についての画像は、同様の色表現になりやすくなる。
【００１７】
しかしながら各モニタ１５について、同じｓＲＧＢの入力画像信号を入力しても、デバイス特性がそれぞれ異なるため、これに起因してモニタ１５で表示される画像は、同様の色表現とはならないのが実情である。このデバイス特性は、モニタ１５の製造者や型番が異なれば異なるものである。さらに同様の製造者の同様の型番のものでも製造時のばらつきや、経年変化によりやはりデバイス特性が異なるのが通常である。
【００１８】
そこで本実施の形態では、端末装置１０に内蔵される色調整装置１００を設け、この色調整装置１００により、予め定められた特性値（デバイス特性の値）についての共通の第１の目標特性値を設定して、入力画像信号をそれぞれのモニタ１５について共通に補正する。そしてそれとともに予め定められた他の特性値について共通の第２の目標特性値を設定して、入力画像信号をそれぞれのモニタ１５毎に補正することで、より同様の色表現を得られるようにしている。
以下、この事項についてさらに詳しく説明を行なう。
【００１９】
図３は、本実施の形態の色調整装置１００についての機能構成例を説明した図である。
図３（ａ）に示した色調整装置１００は、予め定められた変換関係を使用して、入力画像信号を変換する色変換部の一例としての色変換部１１０と、色変換部１１０で使用される色変換プロファイルを作成する色変換プロファイル作成部１３０とを備える。なおここでは、本実施の色調整装置１００を構成するものではないが、出力画像信号により画像を表示するモニタ１５についても併せて図示している。
【００２０】
図４は、色変換プロファイル作成部１３０の機能構成例を説明した図である。
図示するように色変換プロファイル作成部１３０は、補正項目決定部１３１と、第１の補正係数作成部１３２と、第２の補正係数作成部１３３と、マッピング部１３４と、変換関係作成部１３５とを備える。
【００２１】
補正項目決定部１３１は、モニタ１５の色表現に影響を与えるデバイス特性の中から補正を行なう項目を決定する。
そして補正項目決定部１３１は、色値取得部１３１−１と、特性値導出部１３１−２と、補正項目選択部１３１−３とを備える。
【００２２】
色値取得部１３１−１は、モニタ１５にて予め定められた画像を表示させたときの色値を複数のモニタ１５から取得する。本実施の形態では、色値取得部１３１−１は、予め定められた画像を表示させたときの色値として、モニタ１５にて白色画像を表示したときの色値、モニタ１５にて黒色画像を表示したときの色値、およびモニタ１５にて主要色を表示したときの主要色の色値を取得する。
より具体的には、色調整システム１を管理する管理者が、これらの色値を予め定められた測定器により測定し、色調整装置１００に対し、入力デバイス１６等を用いて入力する。なおここで主要色は、モニタ１５で画像を表示するために使用される色であり、通常はＲ（Ｒｅｄ）色、Ｇ（Ｇｒｅｅｎ）色、Ｂ（Ｂｌｕｅ）色の３つである。よって色値取得部１３１−１は、色値取得部１３１−１は、このＲＧＢの階調値を変更し、ＲＧＢ各色が飽和色となったときの色値を主要色の色値として取得する。
【００２３】
特性値導出部１３１−２は、色値取得部１３１−１により取得された色値から、モニタ１５の予め定められた特性値（デバイス特性の値）を導出する。
ここで予め定められた特性値とは、詳しくは後述するが、例えば、モニタ１５にて黒色画像を表示させたときの輝度（黒輝度）、モニタ１５にて白色画像を表示させたときの色温度、モニタ１５の色域形状、モニタ１５にて白色画像を表示させたときの輝度（白輝度）、モニタ１５で黒色画像を表示させたときの色味（黒の色相や彩度、黒の色味）、主要色の色相角などである。これらの特性値は、上述した色値の値であったり、予め定められた計算式を用いることで導出することができる。
【００２４】
補正項目選択部１３１−３は、特性値導出部１３１−２により導出された特性値の中から、入力画像信号を補正することで複数のモニタ１５の画像を色調整するための共通の補正項目である第１の入力画像信号用補正項目と、第１の入力画像信号用補正項目以外の特性値であり、入力画像信号を補正することで複数のモニタ１５毎の画像を色調整するための補正項目である第２の入力画像信号用補正項目とを選択する。
つまり詳しくは後述するが、第１の入力画像信号用補正項目と第２の入力画像信号用補正項目とは、選択される補正項目としては、異なるものとなる。また第１の入力画像信号用補正項目はそれぞれのモニタ１５について共通の補正項目が選択されるとともに、特性値を補正する補正値についても共通である。一方、第２の入力画像信号用補正項目はそれぞれのモニタ１５について共通の補正項目が選択されるが、特性値を補正する補正値については、各モニタ１５毎に異なる。
【００２５】
第１の補正係数作成部１３２は、入力画像信号を補正する第１の入力画像信号用補正項目について、特性値を補正するための第１の補正係数を導出する。
そして第１の補正係数作成部１３２は、目標特性値設定部１３２−１と、補正係数導出部１３２−２とを備える。
【００２６】
目標特性値設定部１３２−１は、補正項目決定部１３１の補正項目選択部１３１−３により選択された第１の入力画像信号用補正項目について、複数のモニタ１５にて画像を色調整するときの共通目標となる特性値である第１の目標特性値を設定する。
つまりここでは、特性値の中から選択された第１の入力画像信号用補正項目について、特性値を合わせるために共通の目標値を設定する。
【００２７】
補正係数導出部１３２−２は、目標特性値設定部１３２−１により設定された第１の目標特性値に特性値を補正するための第１の補正係数を導出する。この第１の補正係数は、各モニタ１５に対し共通の補正係数となる。
【００２８】
第２の補正係数作成部１３３は、入力画像信号を補正する第２の入力画像信号用補正項目について、特性値を補正するための第２の補正係数を導出する。
そして第２の補正係数作成部１３３は、目標特性値設定部１３３−１と、補正係数導出部１３３−２とを備える。
【００２９】
目標特性値設定部１３３−１は、補正項目決定部１３１の補正項目選択部１３１−３により選択された第２の入力画像信号用補正項目について、複数のモニタ１５にて画像を色調整するときの共通目標となる特性値である第２の目標特性値を設定する。
つまりここでは、特性値の中から選択された第２の入力画像信号用補正項目について、特性値を合わせるために共通の目標値を設定する。
【００３０】
補正係数導出部１３３−２は、目標特性値設定部１３３−１により設定された第２の目標特性値に特性値を補正するための第２の補正係数を導出する。この第２の補正係数は、各モニタ１５毎に異なる補正係数となる。
【００３１】
マッピング部１３４は、第１の入力画像信号用補正項目で補正したときの色域と入力画像信号を第２の入力画像信号用補正項目で補正したときの色域の差を近づけるために、色域の圧縮・写像を行なう。つまりマッピング部１３４は、入力画像信号を第１の入力画像信号用補正項目で補正したときの色域と入力画像信号を第２の入力画像信号用補正項目で補正したときの色域とを整合させる色域整合部として機能する。
【００３２】
変換関係作成部１３５は、補正係数導出部１３２−２、１３３−２により導出された第１の補正係数および第２の補正係数を基に、複数のモニタ１５の色調整を行なうために入力画像信号を変換する変換関係をモニタ１５毎に作成する。
ここで変換関係は、色変換プロファイルであり、各モニタ１５毎に異なるものが作成される。図３の例では、色変換部１１０で入力画像信号を変換するのに使われる。この色変換プロファイルは、より具体的には、例えば、多次元テーブルであるＤＬＵＴ（Direct Look Up Table）、Ｍａｔｒｉｘ、一次元ＬＵＴ（Look Up Table）などの形式になっている。
【００３３】
図５は、色変換プロファイル作成部１３０の動作例について説明したフローチャートである。
以下図４および図５を使用して色変換プロファイル作成部１３０の動作について説明を行なう。
【００３４】
まず補正項目決定部１３１の色値取得部１３１−１が、複数のモニタ１５から予め定められた色値を取得する（ステップ１０１）。ここで取得する色値は、モニタ１５で白色画像を表示したときの色値、モニタ１５で黒色画像を表示したときの色値、およびモニタ１５で主要色であるＲＧＢ各色の飽和色を表示したときの色値となる。本実施の形態では、色値取得部１３１−１による色値の取得は、例えば色調整システム１を管理する管理者が、Ｌ＊ａ＊ｂ＊表色系によるＬ＊、ａ＊、ｂ＊の各値やＸＹＺ表色系によるＸＹＺの各値を色調整装置１００に入力することで行なわれる。
【００３５】
次に補正項目決定部１３１の特性値導出部１３１−２が、色値取得部１３１−１で取得した色値から、モニタ１５で黒色画像を表示させたときの輝度（黒輝度）、モニタ１５で白色画像を表示させたときの色温度、モニタ１５の色域形状、モニタ１５で黒色画像を表示させたときの色味（黒の色味）、モニタ１５にて白色画像を表示させたときの輝度（白輝度）、主要色の色相角を予め定められた特性値として導出する（ステップ１０２）。
ここで例えば、黒輝度は、黒色画像を表示したときのＬ＊値またはＹ値である。また白色画像を表示させたときの色温度は、白色画像のＸ値、Ｙ値、Ｚ値から導出できる。さらに色域形状は、ＲＧＢ各色の飽和色を表示したときのａ＊値およびｂ＊値、またはＸ値、Ｙ値、Ｚ値から導出できる。
そして黒色画像を表示させたときの色味は、黒色画像のａ＊値およびｂ＊値、またはＸ値、Ｙ値、Ｚ値から導出できる。また白輝度は、モニタ１５にて白色画像を表示させたときのＬ＊値またはＹ値である。さらに主要色の色相角は、主要色のａ＊値およびｂ＊値、またはＸ値、Ｙ値、Ｚ値から導出できる。
【００３６】
次に補正項目決定部１３１の補正項目選択部１３１−３が、特性値導出部１３１−２により導出された特性値の中から、入力画像信号を補正することで複数のモニタ１５の画像を色調整するための共通の補正項目である第１の入力画像信号用補正項目を選択する（ステップ１０３）。そしてさらに入力画像信号を補正することで複数のモニタ１５毎の画像を色調整するための補正項目である第２の入力画像信号用補正項目を選択する（ステップ１０４）。
【００３７】
図６は、第１の入力画像信号用補正項目および第２の入力画像信号用補正項目として選択されうる特性値を示した図である。
図示するように第１の入力画像信号用補正項目として選択されうる特性値は、黒輝度、色温度、色域形状、黒の色味である。一方、第２の入力画像信号用補正項目として選択されうる特性値は、白輝度、黒の色味、主要色の色相角、色温度、色域形状である。
なお第１の入力画像信号用補正項目として選択されうる特性値と第２の入力画像信号用補正項目として選択されうるものとは、一部重複がある。この場合、どちらか一方で選択されたものは、他方で選択されない。そのため実際に選択される補正項目としては、重複はせず異なるものとなる。
【００３８】
またこれらの特性値は、全て選択されるわけではなく、少なくとも１つが選択される。
より具体的には、それぞれに特性値について予め定められた閾値を設け、モニタ１５毎の特性値のばらつきがこの閾値より大きかった場合にこの特性値を補正項目として選択する。即ちばらつきが閾値以下であった場合は、この特性値については補正が行なわれず、閾値を超えるとこの特性値について補正が行なわれる。
【００３９】
そして図６のように色温度等の重複がある特性値については、２つの閾値を設ける。ここでは、それを第１の閾値および第２の閾値（第１の閾値＜第２の閾値）とすると、モニタ１５毎の特性値のばらつきが第１の閾値以下だった場合は、この特性値は、第１の入力画像信号用補正項目および第２の入力画像信号用補正項目ともに選択をされない。またばらつきが、第１の閾値を超えるとともに第２の閾値以下だった場合は、この特性値は、第１の入力画像信号用補正項目として選択される。さらにばらつきが、第２の閾値を超えた場合は、第２の入力画像信号用補正項目として選択される。即ちばらつきが第１の閾値以下であった場合は、この特性値については補正が行なわれず、第１の閾値を超えるとこの特性値について補正が行なわれる。そしてばらつきがそれほど大きくない場合は、第１の入力画像信号用補正項目として選択され、ばらつきがより大きい場合は、第２の入力画像信号用補正項目として選択される。
【００４０】
図４および図５に戻り、次に第１の補正係数作成部１３２の目標特性値設定部１３２−１が、選択された第１の入力画像信号用補正項目について、複数のモニタ１５にて画像を色調整するときの共通目標となる特性値である第１の目標特性値を設定する（ステップ１０５）。この第１の目標特性値は、詳しくは後述するが、予め定められた方法により算出して設定してもよく、管理者の入力により設定してもよい。
【００４１】
さらに第１の補正係数作成部１３２の補正係数導出部１３２−２が、設定された第１の目標特性値に特性値を補正するための第１の補正係数を導出する（ステップ１０６）。この第１の補正係数についてもそれぞれのモニタ１５に共通の補正係数となる。
【００４２】
次に第２の補正係数作成部１３３の目標特性値設定部１３３−１が、選択された第２の入力画像信号用補正項目について、複数のモニタ１５にて画像を色調整するときの共通目標となる特性値である第２の目標特性値を設定する（ステップ１０７）。この第２の目標特性値は、詳しくは後述するが、予め定められた方法により算出して設定してもよく、管理者の入力により設定してもよい。
【００４３】
さらに第２の補正係数作成部１３３の補正係数導出部１３３−２が、設定された第２の目標特性値に特性値を補正するための第２の補正係数を導出する（ステップ１０８）。この第２の補正係数については、各モニタ１５毎に作成され、通常モニタ１５毎に異なる。
【００４４】
そしてマッピング部１３４が、第１の入力画像信号用補正項目で補正したときの色域と入力画像信号を第２の入力画像信号用補正項目で補正したときの色域の差を近づけるために、色域の圧縮・写像を行なうためのマッピングを行なう（ステップ１０９）。
【００４５】
最後に変換関係作成部１３５が、補正係数導出部１３２−２、１３３−２により導出された第１の補正係数および第２の補正係数を基に、複数のモニタ１５に色調整を行なうために入力画像信号を変換する変換関係である色変換プロファイルを作成する（ステップ１１０）。この色変換プロファイルは、各モニタ１５毎に作成され、通常モニタ１５毎に異なる。
【００４６】
このように本実施の形態では、モニタ１５に色調整を行なうための種々のデバイス特性の中から第１の入力画像信号用補正項目を選択する。これは、黒輝度、色温度、色域形状の中から選択される。そしてこの第１の入力画像信号用補正項目について、共通の第１の補正係数を作成する。このようにすることでモニタ１５の色表現により影響を与えやすいとともに、モニタ１５毎のばらつきがあまり大きくない特性値について入力画像信号をモニタ１５毎に共通に補正するための第１の補正係数を求めることができる。そしてこの第１の補正係数を反映した色変換プロファイルを用いて入力画像信号の色変換を行なう。これによれば出力側のモニタ１５のデバイス特性を入力側の入力画像信号に取り込むことができ、モニタ１５の色表現を概略的に調整してほぼ同様の色表現を行なうことができるようになる。
【００４７】
また本実施の形態では、デバイス特性の中から第２の入力画像信号用補正項目を選択する。これは第１の入力画像信号用補正項目以外のデバイス特性から選択される。そしてこの第２の入力画像信号用補正項目について、モニタ１５毎に異なる第２の補正係数を作成する。このようにすることでモニタ１５毎のばらつきがより大きい特性値について入力画像信号をモニタ１５毎にそれぞれ補正するための第２の補正係数を求めることができる。そしてこの第２の補正係数を反映した色変換プロファイルを用い入力画像信号の色変換を行なう。これによればモニタ１５毎のばらつきの大きい特性値についてそれぞれのモニタ１５の特性値を反映した色変換プロファイルを作成することでき、モニタ１５の色表現をさらに細かく調整してより同様の色表現を行なうことができるようになる。
【００４８】
このように２段階に分けた補正係数を用いて色調整を行なうことで、モニタ１５毎のデバイス特性の差がもともと大きい場合でも、より精度の高い色調整をより容易に行なうことができ、それぞれのモニタ１５の色表現がより同様となりやすくなる。
【００４９】
また本実施の形態では、補正を行なう特性値について、第１の入力画像信号用補正項目と第２の入力画像信号用補正項目とで別々であるため、これらの整合性を取るためマッピング部１３４において色域を近づける処理を行なう。そのためそれぞれのモニタ１５の色表現がさらに同様となりやすくなる。なおマッピング部１３４は必ずしも設ける必要はなく、色域の整合を行なわずに色変換プロファイルを作成してもよい。この場合、色調整の精度が変わることがあるが、一貫性のある色調整は依然として維持され、各モニタ１５毎に色表現をより近くすることができる。
【００５０】
次に図５のステップ１０５〜ステップ１０８の処理についてさらに詳しく説明する。
図７は、補正項目選択部１３１−３により黒輝度が補正項目として選択された場合に、第１の補正係数作成部１３２の目標特性値設定部１３２−１が、この黒輝度について第１の目標特性値を設定する手順を説明した図である。つまり図７では、黒輝度についてのステップ１０５の動作を説明している。
【００５１】
まず目標特性値設定部１３２−１は、各モニタ１５についての黒輝度の値を取得する（ステップ２０１）。そしてこの各モニタ１５毎の黒輝度の値から、黒輝度について第１の目標特性値を設定する。この第１の目標特性値を設定するには、黒輝度の各値を単に平均してもよいが、本実施の形態では、モニタ１５が使用される頻度を反映した重み付けをして第１の目標特性値を設定する。
【００５２】
この場合、目標特性値設定部１３２−１は、モニタ１５が使用される頻度についてのパラメータである重みｗをまず取得し（ステップ２０２）、この重みｗを使用して第１の目標特性値を設定する（ステップ２０３）。この重みｗは、例えば、色調整システム１の管理者が入力を行ない、それを目標特性値設定部１３２−１が取得することで行なわれる。
【００５３】
より具体的には、モニタ１５がｎ台あり、それぞれのモニタ１５の黒輝度をＹｋ、重みｗをｗｋで表わす（ただし、ｋ＝１、２、３、…、ｎ）。そしてこの場合の黒輝度についての第１の目標特性値は、以下の（１）式で算出することができる。
【００５４】
（黒輝度についての第１の目標特性値）＝Σ（Ｙｋ×ｗｋ）／Σｗｋ  （ｋ＝１、２、３、…、ｎ）  …（１）
【００５５】
そして本実施の形態では、ステップ１０６において補正係数導出部１３２−２が算出する第１の補正係数は、本実施の形態のように黒輝度を変更する場合は、入力画像信号の輝度値（例えば、Ｌ＊値やＹ値）に対する補正係数となる。ここでは例えば、輝度値が小さいほど補正量を大きく、また輝度値が大きいほど補正量を小さくするように設定する。つまり黒色を表示したときに対応する最小輝度値をとる黒輝度の値については、この第１の目標特性値になるように第１の補正係数を設定する。一方、白色を表示したときに対応する最大輝度値については、補正はしない。そしてその間の輝度値については、輝度値が小さく黒色に近くなるほど補正量が大きく、輝度値が大きく白色に近くなるほど補正量が小さくなる。
なお第２の入力画像信号用補正項目として白輝度が選択された場合は、白輝度の値は、モニタ１５で色画像を表示したときのＬ＊値またはＹ値である。そして白輝度についての第２の目標特性値は、黒輝度の場合と同様の方法で導出することができる。
【００５６】
図８は、補正項目選択部１３１−３により色温度が補正項目として選択された場合に、第１の補正係数作成部１３２の目標特性値設定部１３２−１が、この色温度について第１の目標特性値を設定する手順を説明した図である。つまり図８では、色温度についてのステップ１０５の動作を説明している。
【００５７】
まず目標特性値設定部１３２−１は、各モニタ１５について設定可能な色温度の範囲を取得する（ステップ３０１）。実際には、目標特性値設定部１３２−１は各モニタ１５について設定可能な色温度の上限値と下限値を取得する。この設定可能な色温度の上限値と下限値は、例えば、色調整システム１の管理者がモニタ１５の設定メニューや仕様書等を参照することでわかる。そして管理者は、参照した結果について入力を行ない、目標特性値設定部１３２−１は、これを取得する。
【００５８】
各モニタ１５毎に設定可能な色温度の範囲から、色温度についての第１の目標特性値を設定するには、例えば、以下のようにして行なう。
【００５９】
管理者は、設定可能な色温度の上限値と下限値の入力を行なう際に、希望する色温度についても入力を行ない、目標特性値設定部１３２−１が、この希望色温度を取得する（ステップ３０２）。次に目標特性値設定部１３２−１は、この希望色温度が、各モニタ１５で設定可能な色温度の範囲である上限値と下限値の間に入っているか否かを判定する（ステップ３０３）。そして入っていた場合（ステップ３０３でＹｅｓ）は、この希望色温度を色温度についての第１の目標特性値とする（ステップ３０４）。一方、入っていなかった場合（ステップ３０３でＮｏ）は、希望色温度を変更して第１の目標特性値を設定する（ステップ３０５）。
【００６０】
ここでステップ３０３〜ステップ３０５については、具体的には、以下のようにする。
図９は、モニタ１５で設定できる色温度の上限値と下限値の例を示した図である。
図示するようにここでは、「device No.」が１〜４の４台のモニタ１５があるものとし、その色温度の上限値と下限値を絶対温度で示している。「device No.」が１〜４の各モニタ１５は、例えば、画像表示装置１０ａ、１０ｂ、１０ｃ、１０ｄに備えられる各モニタ１５に対応する。
【００６１】
このとき希望色温度が６０００Ｋだった場合は、４台のモニタ１５全てで設定可能な色温度であるため、目標特性値設定部１３２−１は、この６０００Ｋを第１の目標特性値とする。一方、希望色温度が４５００Ｋだったときには、この希望色温度は、「device No.２」と「device No.３」のモニタ１５について設定できる色温度の下限値からさらに低い温度側に外れている。そして希望色温度と「device No.３」の色温度の下限値の差は、１０００Ｋとなり、差が５００Ｋの「device No.２」より大きい。このとき目標特性値設定部１３２−１は、「device No.３」の設定範囲の下限値との差が、予め定められた範囲内となるように色温度の第１の目標特性値を設定する。この場合、例えば、色温度の第１の目標特性値を５５００Ｋより５００Ｋ低い５０００Ｋとする。このように目標特性値設定部１３２−１は、希望色温度が、モニタ１５で設定できる色温度の範囲から外れていた場合、この範囲の上限値または下限値と希望色温度の差が最も大きいモニタ１５を選択する。そしてこのモニタ１５の上限値または下限値から５００Ｋ以内となる色温度を第１の目標特性値として設定する。
【００６２】
なおモニタ１５のメニュー等で設定可能な範囲の色温度を外して、色温度の第１の目標特性値を設定したとしても、モニタ１５のＲＧＢ各色の出力を変更することで、第１の目標特性値の色温度で画像を表示することは通常可能である。つまり色温度を下げたい場合、画像の色は、赤味が強くなるようにする必要があるが、これには、Ｒ色よりＢ色の階調カーブを下げ、Ｂ色よりＲ色を相対的に強く発光させることで、実現することができる。一方、色温度を上げたい場合、画像の色は、青味が強くなるようにする必要があるが、これには、Ｂ色よりＲ色の階調カーブを下げ、Ｒ色よりＢ色を相対的に強く発光させることで、実現することができる。ただし、上記上限値や下限値より大きく外れる場合は、ＲＧＢ各色のバランスがくずれ、階調が表示しにくくなるなどの問題が生じるため、上記のように上限値または下限値より予め定められた範囲内となるように第１の目標特性値を設定する。
【００６３】
なお本実施の形態では、ステップ１０６において補正係数導出部１３２−２が算出する第１の補正係数は、例えば入力画像信号に対する色補正係数である。より具体的には、本実施の形態のように色温度を変更する場合は、例えばａ＊、ｂ＊の値やＸ、Ｙ、Ｚの値を補正する補正係数となる。
【００６４】
なお第２の補正係数作成部１３３の目標特性値設定部１３３−１が、この色温度について第２の目標特性値を設定する場合も上記と同様である。つまりステップ１０７の動作についてステップ１０５と同様である。ただしステップ１０８において補正係数導出部１３３−２が算出する第２の補正係数は、各モニタ１５の色温度を第２の目標特性値に合わせるための補正係数となる。そのためこの第２の補正係数は、各モニタ１５毎に異なる。
【００６５】
図１０は、補正項目選択部１３１−３により色域形状が補正項目として選択された場合に、第１の補正係数作成部１３２の目標特性値設定部１３２−１が、色域形状について第１の目標特性値を設定する手順を説明した図である。つまり図１０では、色域形状についてのステップ１０５の動作を説明している。
【００６６】
まず目標特性値設定部１３２−１は、各モニタ１５について主要色であるＲＧＢ各色の飽和色を表示したときの色値を取得する（ステップ４０１）。ここでは例えば、ＲＧＢ各色の飽和色を表示したときの色値をａ＊値およびｂ＊値として取得する。そしてこのａ＊値およびｂ＊値から、色域形状についての第１の目標特性値を設定するには、例えば、以下のようにして行なう。
【００６７】
この色域形状についての第１の目標特性値を設定するには、各モニタ１５のＲＧＢ各色の飽和色を表示したときのａ＊値およびｂ＊値の各値を単に平均してもよいが、本実施の形態では、図７で説明したのと同様に、モニタ１５が使用される頻度を反映した重み付けをして第１の目標特性値を設定する。
この場合、目標特性値設定部１３２−１は、モニタ１５が使用される頻度についてのパラメータである重みｗをまず取得し（ステップ４０２）、この重みｗを使用して色域形状についての第１の目標特性値を算出する（ステップ４０３）。そしてこれにより得られた色域形状を第１の目標特性値とする。この重みｗについて、例えば、色調整システム１の管理者が入力を行なうのは、図７の場合と同様である。
【００６８】
そして第１の目標特性値として算出された色域が、各モニタ１５の色域に含まれるか否かを判定する（ステップ４０４）。そして含まれる場合（ステップ４０４でＹｅｓ）は、ステップ４０３で算出された第１の目標特性値をそのまま色域形状についての第１の目標特性値とする（ステップ４０５）。一方、含まれないモニタ１５があった場合（ステップ４０４でＮｏ）は、ステップ４０３で算出された第１の目標特性値を変更して新たな第１の目標特性値を設定する（ステップ４０６）。
【００６９】
この新たな第１の目標特性値を設定する方法は例えば、以下のような方法がある。
（i）ステップ４０３で設定されたａ＊値およびｂ＊値と、各モニタ１５の各主要色毎のａ＊値およびｂ＊値とで重み付け平均を計算する。
（ii）ステップ４０３で設定されたａ＊値およびｂ＊値から色相は維持するようにして、彩度を各モニタ１５の平均の彩度にする。
（iii）ステップ４０３で設定されたａ＊値およびｂ＊値と、各モニタ１５の平均のａ＊値およびｂ＊値の間の値から適当な値を選択する。
【００７０】
なお本実施の形態では、ステップ１０６において補正係数導出部１３２−２が算出する第１の補正係数は、例えば入力画像信号に対する色補正係数である。より具体的には、本実施の形態のように色域形状を変更する場合は、例えばａ＊、ｂ＊の値やＸ、Ｙ、Ｚの値を補正する補正係数となる。
【００７１】
なお第２の補正係数作成部１３３の目標特性値設定部１３３−１が、この色域形状について第２の目標特性値を設定する場合も上記と同様である。つまりステップ１０７の動作についてステップ１０５と同様である。ただしステップ１０８において補正係数導出部１３３−２が算出する第２の補正係数は、各モニタ１５の色域形状を第２の目標特性値に合わせるための補正係数となる。そのためこの第２の補正係数は、各モニタ１５毎に異なる。
【００７２】
図１１は、補正項目選択部１３１−３により黒の色味が補正項目として選択された場合に、第１の補正係数作成部１３２の目標特性値設定部１３２−１が、この黒の色味について第１の目標特性値を設定する手順を説明した図である。つまり図１１では、黒の色味についてのステップ１０５の動作を説明している。
【００７３】
まず目標特性値設定部１３２−１は、各モニタ１５についての黒の色味の値を取得する（ステップ５０１）。そしてこの各モニタ１５毎の黒の色味の値から、黒の色味について第１の目標特性値を設定する。この第１の目標特性値を設定するには、黒の色味の各値（黒の色相や彩度の値）を単に平均してもよいが、本実施の形態では、モニタ１５が使用される頻度を反映した重み付けをして第１の目標特性値を設定する。
【００７４】
この場合、目標特性値設定部１３２−１は、モニタ１５が使用される頻度についてのパラメータである重みｗをまず取得し（ステップ５０２）、この重みｗを使用して第１の目標特性値を設定する（ステップ５０３）。この重みｗは、例えば、色調整システム１の管理者が入力を行ない、それを目標特性値設定部１３２−１が取得することで行なわれる。
【００７５】
より具体的には、モニタ１５がｎ台あり、それぞれのモニタ１５の黒の色相をＨｋ、黒の彩度をＣｋ、重みｗをｗｋで表わす（ただし、ｋ＝１、２、３、…、ｎ）。そしてこの場合の黒の色相についての第１の目標特性値と黒の彩度についての第１の目標特性値は、以下の（２）〜（３）式で算出することができる。
【００７６】
（黒の色相についての第１の目標特性値）＝Σ（Ｈｋ×ｗｋ）／Σｗｋ  （ｋ＝１、２、３、…、ｎ）  …（２）
（黒の彩度についての第１の目標特性値）＝Σ（Ｃｋ×ｗｋ）／Σｗｋ  （ｋ＝１、２、３、…、ｎ）  …（３）
【００７７】
なお本実施の形態では、ステップ１０６において補正係数導出部１３２−２が算出する第１の補正係数は、例えば色補正係数である。より具体的には、本実施の形態のように黒の色味を変更する場合は、例えばａ＊、ｂ＊の値やＸ、Ｙ、Ｚの値を補正する補正係数となる。
【００７８】
なお第２の補正係数作成部１３３の目標特性値設定部１３３−１が、この黒の色味について第２の目標特性値を設定する場合も上記と同様である。つまりステップ１０７の動作についてステップ１０５と同様である。ただしステップ１０８において補正係数導出部１３３−２が算出する第２の補正係数は、各モニタ１５の黒の色味を第２の目標特性値に合わせるための補正係数となる。そのためこの第２の補正係数は、各モニタ１５毎に異なる。
【００７９】
なお以上詳述した例では、上記のようにして作成した色変換プロファイルは、モニタ１５相互の色合わせに使用していたがこれに限られるものではない。例えば、この色変換プロファイルを作成する手法は、電子写真方式やインクジェット方式により記録材に画像を形成するプリンタ等の画像形成装置に対しても応用が可能である。即ち、入力画像信号を画像形成装置に依存する色空間に色変換して出力画像信号とし、この出力画像信号にて画像形成を行なう画像形成装置に対し、この入力画像信号の色変換に上記の色調整装置１００が使用できる。そしてこの色調整装置１００を使用することで、モニタ１５と画像形成装置との色表現がより合わせやすくなる。
【００８０】
また以上詳述した例では、端末装置１０に内蔵する形態で色調整装置１００を設けていたが、色調整装置１００を端末装置１０と別体とし、単独の装置としてもよい。
図１２は、本実施の形態の色調整装置についての機能構成例の他の場合を説明した図である。
図示した色調整装置１００は、色変換プロファイル作成部１３０が独立し、色調整装置１００となるようにしている。
【００８１】
また以上詳述した例では、第１の入力画像信号用補正項目と第２の入力画像信号用補正項目の双方を考慮した１つの色変換プロファイルを作成し、これによりモニタ１５の色調整を行なったが、これに限られるものではない。例えば、第１の入力画像信号用補正項目と第２の入力画像信号用補正項目とで別々の色変換プロファイルを作成して、この２つの色変換プロファイルを使用してモニタ１５の色調整を行ってもよい。この場合、第１の補正係数を基にして第１の変換関係としての第１の色変換プロファイルを作成し、さらに第２の補正係数を基にして第２の色変換プロファイルを作成する。そしてこの第１の色変換プロファイルを用いて入力画像信号を補正した後に、第２の変換関係としての第２の色変換プロファイルを用いて入力画像信号をさらに補正する。
【００８２】
また本実施の形態における色調整装置１００が行なう処理は、例えば、端末装置１０のＣＰＵ１１が、ＨＤＤ１３等に記憶された各種プログラムをメインメモリ１２にロードして実行することにより行なわれる。つまり色調整装置１００が行なう処理は、実際には端末装置１０で実行される色調整ソフトウェアが行なう。
【００８３】
よって色調整装置１００が行なう処理は、コンピュータに、画像を表示する複数のモニタ１５にて予め定められた画像を表示させたときの色値を取得する機能と、取得された色値から、モニタ１５の予め定められた特性値を導出する機能と、導出された特性値の中から、入力画像信号を補正することで複数のモニタ１５の画像を色調整するための共通の補正項目である第１の入力画像信号用補正項目と、第１の画像信号用補正項目以外の特性値であり、入力画像信号を補正することで複数のモニタ１５毎の画像を色調整するための共通の補正項目である第２の入力画像信号用補正項目と、を選択する機能と、選択された第１の入力画像信号用補正項目および第２の入力画像信号用補正項目について、複数のモニタ１５にて画像を色調整するときの共通目標となる特性値である目標特性値を設定する機能と、設定された目標特性値に特性値を補正するための補正係数を導出する機能と、導出された補正係数を基に、複数のモニタ１５の画像の色調整を行なうために入力画像信号を変換する変換関係をモニタ１５毎に作成する機能と、を実現させるプログラムとして捉えることもできる。
【００８４】
そしてこの場合、上述した第１の色変換プロファイルを用いて入力画像信号を補正した後に、第２の変換関係としての第２の色変換プロファイルを用いて入力画像信号をさらに補正する形態は、例えば、このプログラムによって実現することができる。具体的には、補正係数を導出する機能は、第１の入力画像信号用補正項目についての補正係数である第１の補正係数と、第２の入力画像信号用補正項目についての補正係数である第２の補正係数とを導出し、変換関係をモニタ１５毎に作成する機能は、第１の補正係数を基にした変換関係である第１の色変換プロファイルと、第２の補正係数を基にした変換関係である第２の色変換のプロファイルとを作成する。
【００８５】
なお、本実施の形態を実現するプログラムは、通信手段により提供することはもちろん、ＣＤ−ＲＯＭ等の記録媒体に格納して提供することも可能である。
【符号の説明】
【００８６】
１…色調整システム、１０…端末装置、１５…モニタ、１００…色調整装置、１１０…色変換部、１３０…色変換プロファイル作成部、１３１…補正項目決定部、１３１−１…色値取得部、１３１−２…特性値導出部、１３１−３…補正項目選択部、１３２…第１の補正係数作成部、１３２−１、１３３−１…目標特性値設定部、１３２−２、１３３−２…補正係数導出部、１３３…第２の補正係数作成部、１３４…マッピング部、１３５…変換関係作成部
【図１】
0005906880.tif 000002
【図２】
0005906880.tif 000003
【図３】
0005906880.tif 000004
【図４】
0005906880.tif 000005
【図５】
0005906880.tif 000006
【図６】
0005906880.tif 000007
【図７】
0005906880.tif 000008
【図８】
0005906880.tif 000009
【図９】
0005906880.tif 000010
【図１０】
0005906880.tif 000011
【図１１】
0005906880.tif 000012
【図１２】
0005906880.tif 000013